(57)【要約】【課題】視聴者に与えるストレスを軽減させることができるテレビジョン受像機を提供する。【解決手段】画像を表示する表示部１２と、受信されたテレビジョン放送信号に基づいて表示部１２に表示させる映像を生成するテレビジョン映像生成部１８と、表示部１２に表示させる画像データを格納する画像データ格納部２０と、テレビジョン映像生成部１８によって生成された映像１９と画像データ格納部２０に格納された画像データ２１のいずれかを選択して、表示部１２に表示させる表示画像切替部２２と、を備え、表示画像切替部２２は、主電源２４が入力されてから、所定時間は画像データ格納部２０に格納された画像データ２１を表示させ、所定時間経過後はテレビジョン映像生成部１８によって生成された映像１９を表示させることを特徴とする。【選択図】図１
2011124729.tif 000002
【特許請求の範囲】
【請求項１】
画像を表示する表示部と、
受信されたテレビジョン放送信号に基づいて前記表示部に表示させる映像を生成するテレビジョン映像生成部と、
前記表示部に表示させる画像データを格納する画像データ格納部と、
前記テレビジョン映像生成部によって生成された映像と前記画像データ格納部に格納された画像データのいずれかを選択して、前記表示部に表示させる表示画像切替部と、を備え、
前記表示画像切替部は、主電源が入力されてから、所定時間経過するまで前記画像データ格納部に格納された画像データを表示させ、前記所定時間経過後は前記テレビジョン映像生成部によって生成された映像を表示させることを特徴とするテレビジョン受像機。
【請求項２】
画像を表示する表示部と、
受信されたテレビジョン放送信号に基づいて前記表示部に表示させる映像を生成するテレビジョン映像生成部と、
前記表示部に表示させる画像データを格納する画像データ格納部と、
前記テレビジョン映像生成部によって生成された映像と前記画像データ格納部に格納された画像データのいずれかを選択して、前記表示部に表示させる表示画像切替部と、
入力されると該表示画像切替部に前記画像データ格納部に格納された画像データを選択させる切替スイッチと、を備えていることを特徴とするテレビジョン受像機。
【請求項３】
前記表示画像切替部は、前記画像データ格納部に格納された画像データを表示させた後、所定時間経過後に、自動的に前記テレビジョン映像生成部によって生成された映像を表示させることを特徴とする請求項２記載のテレビジョン受像機。
【請求項４】
前記表示部を前面に露出させた状態で収容し、前記画像データ格納部に格納された画像データが前記表示部に表示された際に、その表示された画像と一体となって特定の意匠を構成するハウジングをさらに備えていることを特徴とする請求項１乃至３いずれか１項記載のテレビジョン受像機。
【発明の詳細な説明】
【技術分野】
【０００１】
本発明は、テレビジョン放送による映像と予め格納された画像データのいずれかを選択して、表示画面上に表示させるテレビジョン受像機に関する。
【背景技術】
【０００２】
従来、デジタルカメラなどによって撮像された画像データを格納すると共に、テレビジョン放送による映像と格納された画像データとを切り換えて、いずれか一方を表示画面上に表示させることができるテレビジョン受像機が知られている（特許文献１及び２）。
【０００３】
一方、近年、地上デジタルテレビジョン放送によるテレビジョン放送が開始されており、この地上デジタルテレビジョン放送は、テレビジョン受像機において受信した圧縮データを解凍して表示画面上に表示するものである。
【先行技術文献】
【特許文献】
【０００４】
【特許文献１】特開２００３−１２５３３８号公報
【特許文献２】特開２００５−９４１１６号公報
【発明の概要】
【発明が解決しようとする課題】
【０００５】
しかしながら、特許文献１及び２に記載のテレビジョン受像機は、テレビジョン放送による映像と格納された画像データとを切り換える際に、リモートコントローラ等の数字キーや、アップ／ダウンキーなどを複数回も操作しなければならないため、例えばテレビジョン放送の画像に子供にとって有害な情報が含まれていた場合などに、格納された画像に即座に切り替えて、テレビジョン放送の映像を見せないようにすることができず、視聴者にストレスを与えるおそれがある。
【０００６】
また、地上デジタルテレビジョン放送を視聴する際には、テレビジョン受像機の起動に必要な処理時間に加え、圧縮データを受信した後、解凍して表示するまでの処理時間が存在するため、テレビジョン受像機の主電源を入れてから表示画面上にテレビジョン放送による映像が表示されるまでに数秒を要し、視聴者にストレスを与えるおそれがある。
【０００７】
そこで、本発明は、視聴者に与えるストレスを軽減させることができるテレビジョン受像機を提供することを目的とする。
【課題を解決するための手段】
【０００８】
以上の目的を達成するため、本発明に係るテレビジョン受像機は、画像を表示する表示部と、受信されたテレビジョン放送信号に基づいて前記表示部に表示させる映像を生成するテレビジョン映像生成部と、前記表示部に表示させる画像データを格納する画像データ格納部と、前記テレビジョン映像生成部によって生成された映像と前記画像データ格納部に格納された画像データのいずれかを選択して、前記表示部に表示させる表示画像切替部と、を備え、前記表示画像切替部は、主電源が入力されてから、所定時間は前記画像データ格納部に格納された画像データを表示させ、前記所定時間経過後は前記テレビジョン映像生成部によって生成された映像を表示させることを特徴とする。
【０００９】
このように、本発明に係るテレビジョン受像機は、表示画像切替部が、主電源が入力されてから、所定時間は画像データ格納部に格納された画像データを表示させ、所定時間経過後はテレビジョン映像生成部によって生成された映像を表示させるように構成されることにより、テレビジョン受像機の主電源を入れてからテレビジョン放送の映像が表示部に表示されるまでの間、画像データ格納部に格納された画像が表示部に表示されるため、視聴者のストレスを軽減させることができる。
【００１０】
また、本発明に係る他のテレビジョン受像機は、画像を表示する表示部と、受信されたテレビジョン放送信号に基づいて前記表示部に表示させる映像を生成するテレビジョン映像生成部と、前記表示部に表示させる画像データを格納する画像データ格納部と、前記テレビジョン映像生成部によって生成された映像と前記画像データ格納部に格納された画像データのいずれかを選択して、前記表示部に表示させる表示画像切替部と、入力されると該表示画像切替部に前記画像データ格納部に格納された画像データを選択させる切替スイッチと、を備えていることを特徴とする。
このテレビジョン受像機において、前記表示画像切替部は、前記画像データ格納部に格納された画像データを表示させた後、所定時間経過後に、自動的に前記テレビジョン映像生成部によって生成された映像を表示させるとしても良い。
【００１１】
このように、本発明に係る他のテレビジョン受像機は、切替スイッチの入力によって画像データ格納部に格納された画像データが選択されるため、例えばテレビジョン放送の画像に子供にとって有害な情報が含まれていた場合などに、切替スイッチを押すだけで即座に表示画像を切り替えて有害な情報を見せないようにすることができ、視聴者のストレスを軽減させることができる。
【００１２】
本発明に係るテレビジョン受像機において、前記表示部を前面に露出させた状態で収容し、前記画像データ格納部に格納された画像データが前記表示部に表示された際に、その表示された画像と一体となって特定の意匠を構成するハウジングをさらに備えるとしても良く、このように、表示された画像と一体となって特定の意匠を構成するハウジングを備えることにより、画像データ格納部に格納された画像データが表示部に表示された際のデザイン性や娯楽性を向上させることができると共に、より視聴者のストレスを軽減させることができる。
【発明の効果】
【００１３】
以上のように、本発明に係るテレビジョン受像機によれば、視聴者に与えるストレスを軽減させることができる。
【図面の簡単な説明】
【００１４】
【図１】本発明の一実施形態に係るテレビジョン受像機の構成を示すブロック図である。
【図２】本実施形態に係るテレビジョン受像機の表示部に画像データが表示された状態を示す正面図である。
【図３】本実施形態に係るテレビジョン受像機の表示部にテレビジョン放送の映像が表示された状態を示す正面図である。
【発明を実施するための形態】
【００１５】
次に、本発明に係るテレビジョン受像機の好適な実施形態について、図面に基づいて説明する。本実施形態に係るテレビジョン受像機１は、図１に示すように、テレビジョン受像機本体１０と、テレビジョン受像機本体１０を遠隔操作可能なリモートコントローラ３０を備えている。
【００１６】
テレビジョン受像機本体１０は、画像を表示する表示部１２と、表示部１２を前面に露出させた状態で収容したハウジング１１と、アンテナ１４からのテレビジョン放送信号を受信するチューナー部１６と、受信されたテレビジョン放送信号に基づいて表示部１２に表示させる映像１９を生成するテレビジョン映像生成部１８と、表示部１２に表示させる画像データ２１を格納する画像データ格納部２０と、テレビジョン映像生成部１８によって生成された映像１９と画像データ格納部２０に格納された画像データ２１のいずれかを選択して、表示部１２に表示させる表示画像切替部２２と、オン又はオフにされることによりテレビジョン受像機本体１０を起動又は停止させる主電源２４と、リモートコントローラ３０からの赤外線信号を受信する通信部２６と、テレビジョン受像機本体１０を制御する制御部２８とを備えている。
【００１７】
ハウジング１１は、図２に示すように、画像データ格納部２０に格納された画像データ２１が表示部１２に表示された際に、その表示された画像２１と一体となって特定の意匠を構成するように形成されている。すなわち、例えばハウジング１１を猫の頭の輪郭状に形成すると共に、画像データ格納部２０に格納する画像データ２１を猫の顔とすることにより、表示部１２に画像データ２１を表示させた際に、ハウジング１１の形状及び模様と画像データ２１とが一体となって猫の頭を表現するように構成されている。また、ハウジング１１は、ハウジング１１を縦置き可能にする台座部１１ａを備えており、この台座部１１ａには、スピーカーが設けられている。さらに、ハウジング１１は、その側面に操作部（図示せず）を備えており、この操作部に主電源２４のスイッチ、及びチャンネルや音量などを変更するためのスイッチなどが設けられている。
【００１８】
制御部２８は、ハウジング１１に設けられている操作部の入力及び通信部２６により受信した信号に基づいて、テレビジョン受像機本体１０の起動及び制御を実行できるように構成されている。また、制御部２８は、予め設定された時間に基づいて、表示画像切替部２２に対して画像切替信号を出力することができるように構成されている。
【００１９】
リモートコントローラ３０は、テレビジョン受像機本体１０への操作入力を行なう操作部と、操作部の入力を赤外線信号としてテレビジョン受像機本体１０の通信部２６に送信する通信部３４と、操作部からの入力に基づいて通信部３４を制御する制御部３６とを備えている。この操作部は、入力されることによりテレビジョン受像機本体１０の表示画像切替部２２に画像データ格納部２０に格納された画像データを選択させる切替スイッチ３２と、テレビジョン受像機本体１０の主電源２４をオン又はオフ状態にさせる電源スイッチ（図示せず）と、テレビジョン受像機本体１０のチャンネルや音量などを変更させるためのスイッチ（図示せず）などを備えている。
【００２０】
次に、本実施形態に係るテレビジョン受像機１の使用態様について、図２及び図３に基づいて説明する。図２は、テレビジョン受像機本体１０の表示部１２に画像データ２１が表示された状態を示す正面図であり、図３は、テレビジョン受像機本体１０の表示部１２にテレビジョン放送の映像１９が表示された状態を示す正面図である。
まず、テレビジョン受像機本体１０の主電源２４がオン入力されると、制御部２８は、テレビジョン受像機本体１０を起動する。ここで、このテレビジョン受像機本体１０の起動は、リモートコントローラ３０の電源スイッチの入力により行なうこともできる。すなわち、視聴者によりリモートコントローラ３０の電源スイッチが入力されると、リモートコントローラ３０の制御部３６は、通信部３４を介してテレビジョン受像機本体１０の通信部２６に入力信号を送信する。この入力信号をテレビジョン受像機本体１０の通信部２６が受信すると、テレビジョン受像機本体１０の制御部２８は、テレビジョン受像機本体１０を起動する。
【００２１】
テレビジョン受像機本体１０が起動すると、制御部２８は、表示画像切替部２２に画像データ格納部２０を選択し、表示部１２に画像データ格納部２０に格納された画像データ２１を表示させる。次に、表示部１２に画像データ２１を表示させてから所定の時間、例えば数秒が経過した後に、制御部２８は、表示画像切替部２２に画像切替信号を出力し、テレビジョン映像生成部１８を選択させて、表示部１２にテレビジョン映像生成部１８により生成された映像１９を表示させる。その後、視聴者は、テレビジョン受像機本体１０の操作部及びリモートコントローラ３０の操作部を操作することにより、テレビジョン放送の任意の番組を視聴することができる。このように、テレビジョン受像機本体１０の起動後、所定の時間は画像データ格納部２０に格納された画像データ２１を表示させ、所定の時間経過後にテレビジョン映像生成部１８によって生成された映像１９を表示させることにより、テレビジョン映像生成部１８による映像１９の生成など、テレビジョン受像機本体１０の起動等に要する処理時間を視聴者に感じさせることなく、テレビジョン受像機本体１０の起動を行なうことができる。
【００２２】
その後、テレビジョン放送の視聴中に、わいせつな映像や残虐な映像など、テレビジョン放送の映像１９に子供に対して有害な情報が含まれている場合には、視聴者は、リモートコントローラ３０の切替スイッチ３２を入力することにより、表示部１２に画像データ格納部２０に格納された画像データ２１を表示させることができる。すなわち、視聴者により切替スイッチ３２が入力されると、リモートコントローラ３０の制御部３６は、通信部３４を介してテレビジョン受像機本体１０の通信部２６に画像切替信号を送信する。この画像切替信号をテレビジョン受像機本体１０の通信部２６が受信すると、テレビジョン受像機本体１０の制御部２８は、表示画像切替部２２に画像切替信号を出力し、画像データ格納部２０を選択させて、表示部１２に画像データ格納部２０に格納された画像データ２１を表示させる。このように、本実施形態に係るテレビジョン受像機１によれば、テレビジョン放送の映像１９から画像データ格納部２０に格納された画像データ２１への切替えを、１回のスイッチ操作で即座に行なうことができる。
【００２３】
ここで、その後の画像データ格納部２０に格納された画像データ２１からテレビジョン放送の映像１９への切替えは、視聴者が再度リモートコントローラ３０の切替スイッチ３２を入力するか、若しくは予め設定された所定の時間、例えば１分が経過した後に、テレビジョン受像機本体１０の制御部２８から表示画像切替部２２に対して画像切替信号が自動的に出力されることにより、行なわれる。
【００２４】
以上のように、本実施形態に係るテレビジョン受像機１によれば、テレビジョン受像機本体１０の主電源２４を入れてからテレビジョン放送の映像１９が表示部１２に表示されるまでの間、画像データ格納部２０に格納された画像２１が表示部１２に表示されるため、テレビジョン受像機本体１０の起動から表示部１２にテレビジョン放送の映像１９を表示させるまでの間の処理時間を有効に利用することができ、視聴者に与えるストレスを軽減させることができる。
また、例えばテレビジョン放送の映像に子供にとって有害な情報が含まれていた場合などに、テレビジョン放送の映像１９から画像データ格納部２０に格納された画像データ２１へ１回のスイッチ操作で即座に切替えることができるため、テレビジョン放送の映像に含まれている有害な情報などを子供に見せないようにすることができ、視聴者のストレスを軽減させることができる。
【００２５】
また、テレビジョン受像機本体１０のハウジング１１を、画像データ格納部２０に格納された画像データ２１と一体となって特定の意匠を構成するように形成することにより、デザイン性や娯楽性を向上させると共に、より視聴者のストレスを軽減させることができる。
【００２６】
本実施形態に係るテレビジョン受像機１においては、テレビジョン受像機本体１０のハウジング１１を猫の頭の輪郭状に形成し、画像データ格納部２０に格納する画像データ２１を猫の顔としたが、これに限定されず、様々な組み合わせ、例えば周知なキャラクターなどを構成する意匠であっても良い。また、画像データ２１は、デジタルカメラ等の電子機器により撮像され、周知の取り込み手段によって画像データ格納部２０に格納された静止画及び動画であっても良い。
【００２７】
また、本実施形態に係るテレビジョン受像機１において、切替スイッチ３２は、リモートコントローラ３０に設けられるとしたが、これに限定されず、テレビジョン受像機本体１０に設けるとしても良い。
【００２８】
さらに、本実施形態に係るテレビジョン受像機１において、テレビジョン受像機本体１０は、パーソナルコンピュータなどの電子機器の外部端子を接続可能な入力端子を備え、該テレビジョン受像機本体１０の入力端子に電子機器の外部端子を接続させることにより、電子機器のモニターとして利用することができるとしても良い。
【符号の説明】
【００２９】
１  テレビジョン受像機、１０  テレビジョン受像機本体、１１  ハウジング、１２  表示部、１８  テレビジョン映像生成部、２０  画像データ格納部、２２  表示画像切替部、２４  主電源、３０  リモートコントローラ、３２  切替スイッチ
【図１】
2011124729.tif 000003
【図２】
2011124729.tif 000004
【図３】
2011124729.tif 000005